(57)【要約】【課題】部品点数の削減及び組立工程の工数の削減を図りながら、リブ部と表示パネルユニットとの間に生じる隙間を低減することができる表示装置を提供する。【解決手段】液晶パネルユニット６と、液晶パネルユニット６の前面における外周部を覆うフロントパネル１０と、フロントパネル１０の一辺１０ｂに沿って延びるようにして設けられたリブ部１４ｂと、液晶パネルユニット６の背面を覆うリアパネル１２と、を備え、リブ部１４ｂは、第１の突出量Ｄ１で凸状に突出する第１の曲線部５０と、第１の曲線部５０の両側に間隔を置いて配置され、且つ、第２の突出量Ｄ２で凸状に突出する一対の第２の曲線部５４と、第１の曲線部５０と一対の第２の曲線部５４の各々とを相互に接続し、且つ、第１の曲線部５０の接線方向及び第２の曲線部５４の接線方向に延びる一対の直線部５２と、を有する。【選択図】図９
2015025866.tif 000002
【特許請求の範囲】
【請求項１】
画像を表示するための表示パネルを含む表示パネルユニットと、
前記表示パネルユニットの前面における外周部を覆う前面筐体と、
前記前面筐体の一辺に沿って延びるようにして設けられ、且つ、前記表示パネルユニット側に突出するリブ部と、
前記表示パネルユニットの背面を覆い、且つ、前記リブ部との間で前記表示パネルユニットの外周部を挟み込む背面筐体と、
前記前面筐体又は前記背面筐体に取り付けられ、且つ、音を出力するためのスピーカと、を備え、
前記リブ部は、
前記表示パネルユニット側に第１の突出量で凸状に突出する第１の曲線部と、
前記第１の曲線部の両側に間隔を置いて配置され、且つ、前記表示パネルユニット側に前記第１の突出量よりも小さい第２の突出量で凸状に突出する一対の第２の曲線部と、
前記第１の曲線部と前記一対の第２の曲線部の各々とを相互に接続し、且つ、前記第１の曲線部の接線方向及び前記第２の曲線部の接線方向に延びる一対の直線部と、を有する
表示装置。
【請求項２】
さらに、前記前面筐体及び前記背面筐体を相互に締結する少なくとも一対の締結部材を備え、
前記一対の締結部材は、前記一対の第２の曲線部の各々と前記一対の直線部の各々との接続部の近傍に対応する位置に配置されている
請求項１に記載の表示装置。
【請求項３】
前記接続部と前記第２の曲線部の端部との間の距離をＳとし、
前記締結部材に対応する前記リブ部の位置と前記第２の曲線部の前記端部との間の距離をＵとしたとき、
前記Ｓ及び前記Ｕは、Ｕ／６≦Ｓ≦Ｕ／４の関係式を満たす
請求項２に記載の表示装置。
【請求項４】
前記スピーカは、前記リブ部が設けられた前記前面筐体の前記一辺に対応して配置されている
請求項１〜３のいずれか１項に記載の表示装置。
【請求項５】
前記リブ部は複数設けられ、
前記複数のリブ部は、前記前面筐体の四辺の各々に沿って延びるようにして設けられている
請求項１〜４のいずれか１項に記載の表示装置。
【請求項６】
前記スピーカは、前記前面筐体と前記背面筐体との間に配置されており、
前記締結部材は、前記前面筐体及び前記背面筐体を相互に締結するとともに、前記スピーカを前記前面筐体又は前記背面筐体に締結する
請求項１〜５のいずれか１項に記載の表示装置。
【発明の詳細な説明】
【技術分野】
【０００１】
本発明は、画像を表示するための表示装置に関する。
【背景技術】
【０００２】
例えば液晶テレビジョン受像機等のように、表示パネルの背面に向けて光を照射するバックライトユニットを備えた表示装置が知られている（例えば、特許文献１参照）。
【０００３】
この表示装置の筐体は、フロントパネル及びリアパネルを有している。表示装置の筐体には、表示パネルを含む表示パネルユニット及びスピーカ等が内蔵されている。
【０００４】
フロントパネルは、表示パネルユニットの前面における外周部を覆っている。リアパネルは、表示パネルユニットの背面全体を覆っている。フロントパネルの四辺にはそれぞれ、表示パネルユニット側に突出するリブ部が設けられている。各リブ部は、フロントパネルの四辺の各々に沿って直線的に延びている。各リブ部が表示パネルユニット側に突出する突出量は、各リブ部の一端部から他端部まで一定である。
【０００５】
表示パネルユニットの外周部は、フロントパネルの各リブ部とリアパネルとの間に挟み込まれている。さらに、フロントパネル及びリアパネルは、複数のネジにより相互に締結されている。スピーカは、フロントパネルとリアパネルとの間に配置されており、フロントパネルに取り付けられている。
【先行技術文献】
【特許文献】
【０００６】
【特許文献１】特開２０１１−８６９７９号公報
【発明の概要】
【発明が解決しようとする課題】
【０００７】
上述した従来の表示装置では、次のような課題が生じる。スピーカから比較的大きな音が出力されている際には、スピーカが振動する。スピーカの振動は、表示装置の筐体及び表示パネルユニット等に伝達される。このとき、各リブ部と表示パネルユニットとの間に隙間がある場合には、各リブ部と表示パネルユニットとの間で異音（いわゆるビビリ音等の振動音）が発生するという課題が生じる。
【０００８】
なお、各リブ部と表示パネルユニットとの間の隙間をなくすために、例えば次の２つの方法が考えられる。第１の方法として、不織布を表示パネルユニットの前面における外周部に貼り付けることにより、各リブ部と表示パネルユニットとの間に不織布を介在させる方法が考えられる。しかしながら、この方法では、不織布を表示パネルユニットに貼り付ける作業にバラツキが生じ易く、上記隙間をなくすことができないおそれがある。さらに、追加部品である不織布の分だけ表示装置の部品点数が増大するとともに、不織布を表示パネルユニットに貼り付ける工程の工数分だけ、表示装置の組立工程の工数が増大するという課題が生じる。
【０００９】
第２の方法として、フロントパネルとリアパネルとを相互に締結するネジの本数を増やすことにより、各リブ部を表示パネルユニットにより大きな力で押し当てる方法が考えられる。しかしながら、この方法では、追加部品であるネジの分だけ表示装置の部品点数が増大するとともに、追加部品であるネジを締め付ける工程の工数分だけ、表示装置の組立工程の工数が増大するという課題が生じる。
【００１０】
本発明は、上述した課題を解決しようとするものであり、その目的は、部品点数の削減及び組立工程の工数の削減を図りながら、リブ部と表示パネルユニットとの間に生じる隙間を低減することができる表示装置を提供することである。
【課題を解決するための手段】
【００１１】
上記目的を達成するために、本発明の一態様に係る表示装置は、画像を表示するための表示パネルを含む表示パネルユニットと、前記表示パネルユニットの前面における外周部を覆う前面筐体と、前記前面筐体の一辺に沿って延びるようにして設けられ、且つ、前記表示パネルユニット側に突出するリブ部と、前記表示パネルユニットの背面を覆い、且つ、前記リブ部との間で前記表示パネルユニットの外周部を挟み込む背面筐体と、前記前面筐体又は前記背面筐体に取り付けられ、且つ、音を出力するためのスピーカと、を備え、前記リブ部は、前記表示パネルユニット側に第１の突出量で凸状に突出する第１の曲線部と、前記第１の曲線部の両側に間隔を置いて配置され、且つ、前記表示パネルユニット側に前記第１の突出量よりも小さい第２の突出量で凸状に突出する一対の第２の曲線部と、前記第１の曲線部と前記一対の第２の曲線部の各々とを相互に接続し、且つ、前記第１の曲線部の接線方向及び前記第２の曲線部の接線方向に延びる一対の直線部と、を有する。
【００１２】
本態様によれば、リブ部は、第１の曲線部、一対の直線部及び一対の第２の曲線部を有している。これにより、表示パネルユニットの外周部がリブ部と背面筐体との間に挟み込まれた際に前面筐体が撓むのに伴って、リブ部は、第１の曲線部の頂部が表示パネルユニットに押し当てられた状態から、リブ部の全体が表示パネルユニットに押し当てられる状態へと変位する。このとき、一対の直線部の各々は表示パネルユニットに密接するように押し当てられ、且つ、第１の曲線部の頂部及び一対の第２の曲線部の各々の頂部は表示パネルユニットに食い込むように押し当てられる。その結果、リブ部と表示パネルユニットとの間に生じる隙間を低減することができ、スピーカの振動が筐体及び表示パネルユニット等に伝達した場合であっても、リブ部と表示パネルユニットとの間で異音（いわゆるビビリ音等の振動音）が発生するのを抑制することができる。さらに、リブ部の形状を上述したように構成することによって、表示装置の部品を新たに追加することなく、上記隙間を低減することができる。その結果、表示装置の部品点数の削減及び表示装置の組立工程の工数の削減を図ることができる。
【００１３】
例えば、本発明の一態様に係る表示装置において、さらに、前記前面筐体及び前記背面筐体を相互に締結する少なくとも一対の締結部材を備え、前記一対の締結部材は、前記一対の第２の曲線部の各々と前記一対の直線部の各々との接続部の近傍に対応する位置に配置されているように構成してもよい。
【００１４】
本態様によれば、一対の締結部材は、一対の第２の曲線部の各々と一対の直線部の各々との接続部の近傍に対応する位置に配置されている。これにより、一対の締結部材により前面筐体及び背面筐体を相互に締結した際に、リブ部の全体が表示パネルユニットに押し当てられるように前面筐体を撓ませることができる。
【００１５】
例えば、本発明の一態様に係る表示装置において、前記接続部と前記第２の曲線部の端部との間の距離をＳとし、前記締結部材に対応する前記リブ部の位置と前記第２の曲線部の前記端部との間の距離をＵとしたとき、前記Ｓ及び前記Ｕは、Ｕ／６≦Ｓ≦Ｕ／４の関係式を満たすように構成してもよい。
【００１６】
本態様によれば、距離Ｓ及び距離Ｕは、１／６Ｕ≦Ｓ≦１／４Ｕの関係式を満たすので、一対の締結部材により前面筐体及び背面筐体を相互に締結した際に、リブ部の全体が表示パネルユニットに押し当てられるように前面筐体を撓ませることができる。
【００１７】
例えば、本発明の一態様に係る表示装置において、前記スピーカは、前記リブ部が設けられた前記前面筐体の前記一辺に対応して配置されているように構成してもよい。
【００１８】
一般に、前面筐体の四辺のうち、スピーカが配置された前面筐体の一辺において、リブ部と表示パネルユニットとの間で異音が発生し易い傾向にある。本態様によれば、スピーカが配置された前面筐体の一辺に、上述のように構成されたリブ部が設けられているので、リブ部と表示パネルユニットとの間で異音が発生するのを効果的に抑制することができる。
【００１９】
例えば、本発明の一態様に係る表示装置において、前記リブ部は複数設けられ、前記複数のリブ部は、前記前面筐体の四辺の各々に沿って延びるようにして設けられているように構成してもよい。
【００２０】
本態様によれば、複数のリブ部は、前面筐体の四辺の各々に沿って延びるようにして設けられているので、表示パネルユニットの外周部をリブ部と背面筐体との間により一層確実に挟み込むことができる。
【００２１】
例えば、本発明の一態様に係る表示装置において、前記スピーカは、前記前面筐体と前記背面筐体との間に配置されており、前記締結部材は、前記前面筐体及び前記背面筐体を相互に締結するとともに、前記スピーカを前記前面筐体又は前記背面筐体に締結するように構成してもよい。
【００２２】
本態様によれば、前面筐体及び背面筐体を相互に締結するための締結部材を用いて、スピーカを前面筐体又は背面筐体に締結することができる。これにより、締結部材の個数を低減することができ、表示装置の部品点数の削減及び表示装置の組立工程の工数の削減を効果的に図ることができる。
【発明の効果】
【００２３】
本発明の一態様に係る表示装置によれば、部品点数の削減及び組立工程の工数の削減を図りながら、リブ部と表示パネルユニットとの間に生じる隙間を低減することができる。
【図面の簡単な説明】
【００２４】
【図１】実施の形態に係る表示装置の正面側を示す斜視図である。
【図２】実施の形態に係る表示装置の一部を分解した状態を示す分解斜視図である。
【図３】フロントパネルの裏面側を示す斜視図である。
【図４】リアパネルの裏面側を示す斜視図である。
【図５】リアパネルの図４中の枠線Ｐで囲まれた部分を拡大して示す要部斜視図である。
【図６】スピーカをスピーカホルダから取り外した状態を示す要部斜視図である。
【図７】図２中のＡ−Ａ線により切断した表示装置の要部断面斜視図である。
【図８】図２中のＢ−Ｂ線により切断した表示装置の要部断面図である。
【図９】フロントパネルのリブを模式的に示す斜視図である。
【図１０】フロントパネルの下側の辺において、リブ部とネジとの相対的な位置関係を模式的に示す図である。
【図１１】距離Ｕと距離Ｓとの関係を示すグラフである。
【発明を実施するための形態】
【００２５】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２６】
（実施の形態）
［表示装置の全体構成］
まず、図１〜図８を参照しながら、実施の形態に係る表示装置の全体構成について説明する。図１は、実施の形態に係る表示装置の正面側を示す斜視図である。図２は、実施の形態に係る表示装置の一部を分解した状態を示す分解斜視図である。図３は、フロントパネルの裏面側を示す斜視図である。図４は、リアパネルの裏面側を示す斜視図である。図５は、リアパネルの図４中の枠線Ｐで囲まれた部分を拡大して示す要部斜視図である。図６は、スピーカをスピーカホルダから取り外した状態を示す要部斜視図である。図７は、図２中のＡ−Ａ線により切断した表示装置の要部断面斜視図である。図８は、図２中のＢ−Ｂ線により切断した表示装置の要部断面図である。
【００２７】
図１及び図２に示すように、表示装置２は、筐体４を備えている。筐体４には、液晶パネルユニット６（表示パネルユニットを構成する）、バックライトユニット（図示せず）及び一対のスピーカ８等が内蔵されている。本実施の形態の表示装置２は、例えば、直下型又はエッジライト型のバックライトユニットを備えた液晶テレビジョン受像機である。
【００２８】
筐体４は、フロントパネル１０（前面筐体を構成する）及びリアパネル１２（背面筐体を構成する）が相互に組み合わされることにより構成されている。なお、フロントパネル１０及びリアパネル１２はそれぞれ、例えば樹脂で形成されている。
【００２９】
図１及び図３に示すように、フロントパネル１０は、額縁状に構成されており、液晶パネルユニット６の前面における外周部を覆っている。フロントパネル１０の裏面側（すなわち、液晶パネルユニット６に対向する側の面）には、液晶パネルユニット６側に突出するリブ１４が設けられている。リブ１４は、フロントパネル１０の四辺１０ａ〜１０ｄの各々に沿って延びる４つのリブ部１４ａ〜１４ｄを有している。リブ部１４ａ，１４ｂはそれぞれ、フロントパネル１０の上側の辺１０ａ及び下側の辺１０ｄに沿って直線的に延びている。リブ部１４ｃ，１４ｄはそれぞれ、フロントパネル１０の左右の辺１０ｃ，１０ｄに沿って直線的に延びている。本実施の形態の表示装置２では、各リブ部１４ａ〜１４ｄの構成に特徴がある。各リブ部１４ａ〜１４ｄの構成については後述する。
【００３０】
さらに、図２、図３及び図８に示すように、フロントパネル１０の裏面側には、液晶パネルユニット６側に突出する複数のボス部１６が設けられている。ボス部１６は、フロントパネル１０の上側の辺１０ａに１箇所、下側の辺１０ｂに２箇所、左右の辺１０ｃ，１０ｄにそれぞれ２箇所ずつ配置されている。複数のボス部１６の各々には、ネジ１８（締結部材を構成する）（図２及び図８参照）をネジ止めするためのネジ孔２０が設けられている。
【００３１】
図２及び図４に示すように、リアパネル１２は、液晶パネルユニット６とは反対側にやや膨らんだ形状を有しており、液晶パネルユニット６の背面全体を覆っている。リアパネル１２には、ネジ１８を挿入するための貫通孔２２が複数設けられている。複数の貫通孔２２は、上述した複数のボス部１６に対応して配置されている。すなわち、貫通孔２２は、リアパネル１２の上側の辺１２ａに１箇所、下側の辺１２ｂに２箇所、左右の辺１２ｃ，１２ｄにそれぞれ２箇所ずつ配置されている。さらに、図４及び図５に示すように、リアパネル１２の裏面側（すなわち、液晶パネルユニット６に対向する側の面）において、複数の貫通孔２２の各々の近傍には、液晶パネルユニット６側に突出するリブ２４が設けられている。
【００３２】
図２及び図８に示すように、ネジ１８がリアパネル１２の複数の貫通孔２２の各々を通してフロントパネル１０の複数のネジ孔２０の各々にネジ止めされることにより、フロントパネル１０及びリアパネル１２が相互に締結される。
【００３３】
図２及び図６に示すように、フロントパネル１０の下側の辺１０ｂには、一対のスピーカホルダ２６が間隔を置いて配置されている。スピーカホルダ２６は、スピーカ８をフロントパネル１０に取り付けるためのものである。一対のスピーカホルダ２６の各々には、ネジ１８を挿入するための貫通孔２８が設けられている。一対のスピーカホルダ２６の各々は、この貫通孔２８がボス部１６のネジ孔２０と対応するようにして、フロントパネル１０の下側の辺１０ｂに配置されている。さらに、一対のスピーカホルダ２６の各々には、リアパネル１２側に突出する一対の突起３０が設けられている。一対の突起３０は、間隔を置いて配置されている。
【００３４】
図６に示すように、スピーカ８は、スピーカ本体部３２と、スピーカ本体部３２の両側に設けられた一対のブラケット部３４と、を有している。スピーカ本体部３２は、音が出力される出力部３２ａを有している。なお、出力部３２ａは、例えばセンターキャップ及び振動板等で構成されている。一対のブラケット部３４の各々には、貫通孔３６が設けられている。さらに、一対のブラケット部３４の各々には、リング状のゴムダンパー３８が取り付けられている。一対のブラケット部３４の各々の貫通孔３６にスピーカホルダ２６の突起３０が挿入されることにより、スピーカ８がスピーカホルダ２６を介してフロントパネル１０の下側の辺１０ｂに取り付けられる。
【００３５】
図７及び図８に示すように、ネジ１８がリアパネル１２の貫通孔２２及びスピーカホルダ２６の貫通孔２８を通してフロントパネル１０のボス部１６のネジ孔２０にネジ止めされることにより、スピーカ８が液晶パネルユニット６の外周部とリアパネル１２との間に固定される。なお、スピーカ本体部３２と液晶パネルユニット６の外周部との間及びスピーカ本体部３２とリアパネル１２との間にはそれぞれクッション部材４０が介在されている。
【００３６】
一対のスピーカ８の各々は、その出力部３２ａが表示装置２の下方を向くようにして、フロントパネル１０の下側の辺１０ｂとリアパネル１２との間に配置されている。従って、出力部３２ａからの音は、表示装置２の下方に向けて（すなわち、表示装置２が設置される面に向けて）出力される。
【００３７】
図７及び図８に示すように、液晶パネルユニット６は、リアフレーム４２、セルガイド４４、液晶パネル４６（表示パネルを構成する）及びベゼル４８を有している。
【００３８】
リアフレーム４２は、矩形状のプレート状に構成されている。リアフレーム４２には、バックライトユニット（図示せず）が支持されている。
【００３９】
セルガイド４４は、矩形状の枠状に構成されている。セルガイド４４は、リアフレーム４２の外周部に取り付けられている。
【００４０】
液晶パネル４６は、矩形状のパネル状に構成されている。液晶パネル４６の背面側における外周部は、セルガイド４４に支持されている。これにより、液晶パネル４６の背面側には、リアフレーム４２に支持されたバックライトユニットが配置される。バックライトユニットからの光が液晶パネル４６の背面を照射することにより、液晶パネル４６に画像が表示される。
【００４１】
ベゼル４８は、矩形状の枠状に構成されている。ベゼル４８は、液晶パネル４６の表面側における外周部を覆っている。
【００４２】
図７及び図８に示すように、上述した液晶パネルユニット６の外周部は、フロントパネル１０のリブ１４とリアパネル１２の複数のリブ２４との間に挟み込まれている。すなわち、フロントパネル１０のリブ１４はベゼル４８に押し当てられ、リアパネル１２の複数のリブ２４の各々はリアフレーム４２の外周部に押し当てられている。
【００４３】
［各リブ部の構成］
次に、図９〜図１１を参照しながら、フロントパネル１０の各リブ部１４ａ〜１４ｄの構成について説明する。なお、各リブ部１４ａ〜１４ｄはそれぞれ同様に構成されているので、以下では、各リブ部１４ａ〜１４ｄのうち、フロントパネル１０の下側の辺１０ｂに対応するリブ部１４ｂの構成についてのみ説明する。図９は、フロントパネルのリブを模式的に示す斜視図である。図１０は、フロントパネルの下側の辺において、リブ部とネジとの相対的な位置関係を模式的に示す図である。図１１は、距離Ｕと距離Ｓとの関係を示すグラフである。
【００４４】
まず、リブ部１４ｂの形状について説明する。図９及び図１０に示すように、リブ部１４ｂは、第１の曲線部５０、一対の直線部５２及び一対の第２の曲線部５４を有している。
【００４５】
第１の曲線部５０は、フロントパネル１０の裏面から液晶パネルユニット６側に第１の突出量Ｄ１（例えば、４．５ｍｍ）で凸状に突出している。なお、第１の曲線部５０の曲率半径は、例えば１０００ｍｍ〜２００００ｍｍである。
【００４６】
一対の第２の曲線部５４の各々は、第１の曲線部５０の両側に間隔を置いて配置されている。一対の第２の曲線部５４の各々は、フロントパネル１０の裏面から液晶パネルユニット６側に第１の突出量Ｄ１よりも小さい第２の突出量Ｄ２（例えば、４．０ｍｍ）で凸状に突出している。なお、第２の曲線部５４の曲率半径は、例えば１０００ｍｍ〜２００００ｍｍである。
【００４７】
一対の直線部５２の各々は、第１の曲線部５０と一対の第２の曲線部５４の各々とを相互に接続している。一対の直線部５２の各々は、第１の曲線部５０の接線方向及び第２の曲線部５４の接線方向にそれぞれ延びている。
【００４８】
すなわち、リブ部１４ｂの液晶パネルユニット６側への突出量は、リブ部１４ｂの長手方向中央部において最も大きく、リブ部１４ｂの長手方向中央部から長手方向両端部にかけて漸減している。なお、各リブ部１４ａ〜１４ｄの液晶パネルユニット６側への最大突出量は同一である。
【００４９】
次に、フロントパネル１０の下側の辺１０ｂにおける、リブ部１４ｂと一対のネジ１８との相対的な位置関係（すなわち、リブ部１４ｂと一対のボス部１６との相対的な位置関係）について説明する。
【００５０】
図１０に示すように、フロントパネル１０の下側の辺１０ｂにおいて、一対のネジ１８（一対のボス部１６）はそれぞれ、一対の第２の曲線部５４の各々と一対の直線部５２の各々との接続部５６の近傍に対応する位置に配置されている。より具体的には、接続部５６と第２の曲線部５４の外側の端部との間の距離をＳとし、ネジ１８の配置位置に対応するリブ部１４ｂの位置と第２の曲線部５４の外側の端部との間の距離をＵとしたとき、ネジ１８の位置は、距離Ｓ及び距離Ｕが次式１を満たすような位置に配置されている。
【００５１】
Ｕ／６≦Ｓ≦Ｕ／４    （式１）
【００５２】
距離Ｓ及び距離Ｕが上式１を満たすことにより、第２の曲線部５４の長手方向における長さ及び直線部５２の長手方向における長さをそれぞれ十分に確保することができる。その結果、後述するように、フロントパネル１０の下側の辺１０ｂにおいて一対のネジ１８をそれぞれ締め付けた際に、一対の直線部５２の各々を液晶パネルユニット６に密接するように押し当てることができ、且つ、一対の第２の曲線部５４の各々の頂部を液晶パネルユニット６に食い込むように押し当てることができる。なお、距離ＳがＵ／６よりも小さい場合には、第２の曲線部５４の長手方向における長さを十分に確保することが難しい。また、距離ＳがＵ／４よりも大きい場合には、直線部５２の長手方向における長さを十分に確保することが難しい。
【００５３】
上述したように、フロントパネル１０の下側の辺１０ｂにおいて一対のネジ１８をそれぞれ締め付けることにより、液晶パネルユニット６の外周部は、リブ部１４ｂとリアパネル１２の一対のリブ２４との間に挟み込まれる。このとき、一対のネジ１８をそれぞれ締め付ける力によって、フロントパネル１０の下側の辺１０ｂが図１０中の矢印Ｑで示す方向に撓むようになる。これに伴って、リブ部１４ｂも同様に図１０中の矢印Ｑで示す方向に撓むようになる。その結果、リブ部１４ｂは、図１０において実線で示すように、第１の曲線部５０の頂部が液晶パネルユニット６に押し当てられた状態から、図１０において一点鎖線で示すように、リブ部１４ｂの全体が液晶パネルユニット６に押し当てられる状態へと変位する。このとき、一対の直線部５２の各々は液晶パネルユニット６に密接するように押し当てられ、且つ、第１の曲線部５０の頂部及び一対の第２の曲線部５４の各々の頂部は液晶パネルユニット６に食い込むように押し当てられる。これにより、リブ部１４ｂと液晶パネルユニット６との間に生じる隙間５８を低減することができる。
【００５４】
さらに、フロントパネル１０の残りの辺１０ａ，１０ｃ，１０ｄにおいても同様に、ネジ１８を締め付けることによって、リブ部１４ａ，１４ｃ，１４ｄはそれぞれ、第１の曲線部５０の頂部が液晶パネルユニット６に押し当てられた状態から、リブ部１４ａ，１４ｃ，１４ｄの全体が液晶パネルユニット６に押し当てられる状態へと変位する。これにより、リブ部１４ａ，１４ｃ，１４ｄの各々と液晶パネルユニット６との間に生じる隙間を低減することができる。
【００５５】
なお、図１１に示すように、リブ部１４ａ〜１４ｄの各々と液晶パネルユニット６との間に生じる隙間を低減することができるような距離Ｕと距離Ｓとの関係は、比例関係にある。
【００５６】
［効果］
次に、本実施の形態の表示装置２により得られる効果について説明する。上述したように、リブ部１４ａ〜１４ｄの各々は、第１の曲線部５０、一対の直線部５２及び一対の第２の曲線部５４を有している。これにより、ネジ１８を締め付けることによって、リブ部１４ａ〜１４ｄはそれぞれ、第１の曲線部５０の頂部が液晶パネルユニット６に押し当てられた状態から、リブ部１４ａ〜１４ｄの全体が液晶パネルユニット６に押し当てられる状態へと変位する。その結果、リブ部１４ａ〜１４ｄの各々と液晶パネルユニット６との間に生じる隙間を低減することができ、スピーカ８が振動した場合であっても、リブ１４と液晶パネルユニット６との間で異音（いわゆるビビリ音等の振動音）が発生するのを抑制することができる。
【００５７】
さらに、リブ１４の形状を上述したように構成することによって、表示装置２の部品を新たに追加することなく、上記隙間を低減することができる。その結果、表示装置２の部品点数の削減及び表示装置２の組立工程の工数の削減を図ることができる。
【００５８】
以上、本発明の実施の形態に係る表示装置について説明したが、本発明は、上記実施の形態に限定されるものではない。
【００５９】
上記実施の形態では、表示装置が液晶テレビジョン受像機である場合について説明したが、表示装置は、液晶テレビジョン受像機以外に、例えばパーソナルコンピュータ用の液晶モニタ等でもよい。
【００６０】
上記実施の形態では、スピーカをフロントパネルに取り付けたが、リアパネルに取り付けることもできる。
【００６１】
上記実施の形態では、リブ部をフロントパネルの四辺にそれぞれ設けたが、フロントパネルの四辺のうち、スピーカが配置された一辺にのみ設けることもできる。
【産業上の利用可能性】
【００６２】
本発明の表示装置は、例えば液晶テレビジョン受像機等として適用することができる。
【符号の説明】
【００６３】
２  表示装置
４  筐体
６  液晶パネルユニット
８  スピーカ
１０  フロントパネル
１０ａ，１０ｂ，１０ｃ，１０ｄ  辺
１２  リアパネル
１４，２４  リブ
１４ａ，１４ｂ，１４ｃ，１４ｄ  リブ部
１６  ボス部
１８  ネジ
２０  ネジ孔
２２，２８，３６  貫通孔
２６  スピーカホルダ
３０  突起
３２  スピーカ本体部
３２ａ  出力部
３４  ブラケット部
３８  ゴムダンパー
４０  クッション部材
４２  リアフレーム
４４  セルガイド
４６  液晶パネル
４８  ベゼル
５０  第１の曲線部
５２  直線部
５４  第２の曲線部
５６  接続部
５８  隙間
【図１】
2015025866.tif 000003
【図２】
2015025866.tif 000004
【図３】
2015025866.tif 000005
【図４】
2015025866.tif 000006
【図５】
2015025866.tif 000007
【図６】
2015025866.tif 000008
【図７】
2015025866.tif 000009
【図８】
2015025866.tif 000010
【図９】
2015025866.tif 000011
【図１０】
2015025866.tif 000012
【図１１】
2015025866.tif 000013